【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
携帯や保管に便利な簡易なヘルメットであり、これは２つ以上の板状の物質と１つ以上の着脱部品（３）で構成され、板状の物質の少なくとも１つはヘルメットの外側にあたる帽体部品（１）となり、少なくとも１つはヘルメットの内側にあたるハンモック部品（２）となり、帽体部品（１）は樹脂や厚紙、金属等、曲げると戻ろうとする力、弾性による復元力のある物質で、柔軟性があり人力で曲げることができ、曲げても割れたり折れたりすることがないような丈夫な物質であり、ハンモック部品（２）は布、樹脂、紙、金属等で、ある程度柔軟性のある物質で帽体部品（１）の復元力によって引っ張られる力に耐え、頭部に直接触れるため、肌に触れても安全な物質を使用し、着脱部品（３）は物と物を着脱することが可能な部品であり、線ファスナー等による着脱手段で構成され、帽体部品（１）とハンモック部品（２）はお互いに２点以上で接合しており、ハンモック部品（２）はその２点以上の点の間にて分割されるか、穴が空いており、これを締めて塞ぐために着脱手段である着脱部品（３）を利用し、着脱部品（３）を閉めることによりハンモック部品（２）が引っ張られ、帽体部品（１）もハンモック部品（２）と接合しているため引っ張られ、それにより曲がって逆Ｕ字形となり、これがヘルメットの外側となり、ハンモック部品（２）は内側となるので頭を入れる部分を作るため、帽体部品（１）、ハンモック部品（２）、着脱部品（３）のそれぞれの特性、形状、取り付け方により、着脱部品（３）を閉めた際、部分的に帽体部品（１）を曲げる力が強い部分、弱い部分を作ると、帽体部品（１）は力が強い部分により十分に曲がり、力が弱い部分はハンモック部品（２）がピンと張らず余剰部分が生じ、これを内側に凹ませることができるので、それにより頭を入れる空間を作成するという構造なので、本願発明のヘルメットは着脱部品（３）を開けると板状で保管や携帯が容易となり、閉めるとヘルメット型となることを特徴とするヘルメット。
【請求項２】
携帯や保管に便利な簡易なヘルメットであり、これは２つ以上の板状の物質と１つ以上の着脱部品（３）で構成され、板状の物質の少なくとも１つはヘルメットの外側にあたる帽体部品（１）となり、少なくとも１つはヘルメットの内側にあたるハンモック部品（２）となり、帽体部品（１）は樹脂や厚紙、金属等、曲げると戻ろうとする力、弾性による復元力のある物質で、柔軟性があり人力で曲げることができ、曲げても割れたり折れたりすることがないような丈夫な物質であり、ハンモック部品（２）は布、樹脂、紙、金属等で、ある程度柔軟性のある物質で帽体部品（１）の復元力によって引っ張られる力に耐え、頭部に直接触れるため、肌に触れても安全な物質を使用し、着脱部品（３）は物と物を着脱することが可能な部品であり、線ファスナー等による着脱手段で構成され、帽体部品（１）とハンモック部品（２）はお互いに２点以上で接合しているが、その１点以上が着脱部品（３）を介して接合しているため、着脱部品（３）を閉めヘルメット型となった状態で、帽体部品（１）とハンモック部品（２）はお互いに２点以上で接合することなり、また、接合している部分だけでなく、ハンモック部品（２）はその２点以上の点の間にて分割されるか、穴が空いていてもよく、これを締めて塞ぐために着脱手段である着脱部品（３）を利用してもよく、これらの接合部分やハンモック部品（２）の分割部分や穴を締めて塞ぐための着脱手段である着脱部品（３）を閉めることによりハンモック部品（２）が引っ張られ、帽体部品（１）もハンモック部品（２）と接合しているため引っ張られ、それにより曲がって逆Ｕ字形となり、これがヘルメットの外側となり、ハンモック部品（２）は内側となるので頭を入れる部分を作るため、帽体部品（１）、ハンモック部品（２）、着脱部品（３）のそれぞれの特性、形状、取り付け方により、着脱部品（３）を閉めた際、部分的に帽体部品（１）を曲げる力が強い部分、弱い部分を作ると、帽体部品（１）は力が強い部分により十分に曲がり、力が弱い部分はハンモック部品（２）がピンと張らず余剰部分が生じ、これを内側に凹ませることができるので、それにより頭を入れる空間を作成するという構造なので、本願発明のヘルメットは着脱部品（３）を開けると板状で保管や携帯が容易となり、閉めるとヘルメット型となることを特徴とするヘルメット。
【請求項３】
携帯や保管に便利な簡易なヘルメットであり、これは２つ以上の板状の物質と１つ以上の着脱部品（３）で構成され、板状の物質の少なくとも１つはヘルメットの外側にあたる帽体部品（１）となり、少なくとも１つはヘルメットの内側にあたるハンモック部品（２）となり、帽体部品（１）は樹脂や厚紙、金属等、曲げると戻ろうとする力、弾性による復元力のある物質で、柔軟性があり人力で曲げることができ、曲げても割れたり折れたりすることがないような丈夫な物質であり、ハンモック部品（２）は布、樹脂、紙、金属等で、ある程度柔軟性のある物質で帽体部品（１）の復元力によって引っ張られる力に耐え、頭部に直接触れるため、肌に触れても安全な物質を使用し、着脱部品（３）は物と物を着脱することが可能な部品であり、面ファスナー、ボタンとボタンホールの取付、ボルトとナット、雌雄による止具等による着脱手段で構成され、帽体部品（１）とハンモック部品（２）はお互いに２点以上で接合しており、ハンモック部品（２）はその２点以上の点の間にて分割されるか、穴が空いており、これを締めて塞ぐために着脱手段である着脱部品（３）を利用し、着脱部品（３）を閉めることによりハンモック部品（２）が引っ張られ、帽体部品（１）もハンモック部品（２）と接合しているため引っ張られ、それにより曲がって逆Ｕ字形となり、これがヘルメットの外側となり、ハンモック部品（２）は内側となるので頭を入れる部分を作るため、帽体部品（１）、ハンモック部品（２）、着脱部品（３）のそれぞれの特性、形状、取り付け方により、着脱部品（３）を閉めた際、部分的に帽体部品（１）を曲げる力が強い部分、弱い部分を作ると、帽体部品（１）は力が強い部分により十分に曲がり、力が弱い部分はハンモック部品（２）がピンと張らず余剰部分が生じ、これを内側に凹ませることができるので、それにより頭を入れる空間を作成するという構造なので、本願発明のヘルメットは着脱部品（３）を開けると板状で保管や携帯が容易となり、閉めるとヘルメット型となることを特徴とするヘルメット。
【請求項４】
携帯や保管に便利な簡易なヘルメットであり、これは２つ以上の板状の物質と１つ以上の着脱部品（３）で構成され、板状の物質の少なくとも１つはヘルメットの外側にあたる帽体部品（１）となり、少なくとも１つはヘルメットの内側にあたるハンモック部品（２）となり、帽体部品（１）は樹脂や厚紙、金属等、曲げると戻ろうとする力、弾性による復元力のある物質で、柔軟性があり人力で曲げることができ、曲げても割れたり折れたりすることがないような丈夫な物質であり、ハンモック部品（２）は布、樹脂、紙、金属等で、ある程度柔軟性のある物質で帽体部品（１）の復元力によって引っ張られる力に耐え、頭部に直接触れるため、肌に触れても安全な物質を使用し、着脱部品（３）は物と物を着脱することが可能な部品であり、面ファスナー、ボタンとボタンホールの取付、ボルトとナット、雌雄による止具等による着脱手段で構成され、帽体部品（１）とハンモック部品（２）はお互いに２点以上で接合しているが、その１点以上が着脱部品（３）を介して接合しているため、着脱部品（３）を閉めヘルメット型となった状態で、帽体部品（１）とハンモック部品（２）はお互いに２点以上で接合することなり、また、接合している部分だけでなく、ハンモック部品（２）はその２点以上の点の間にて分割されるか、穴が空いていてもよく、これを締めて塞ぐために着脱手段である着脱部品（３）を利用してもよく、これらの接合部分やハンモック部品（２）の分割部分や穴を締めて塞ぐための着脱手段である着脱部品（３）を閉めることによりハンモック部品（２）が引っ張られ、帽体部品（１）もハンモック部品（２）と接合しているため引っ張られ、それにより曲がって逆Ｕ字形となり、これがヘルメットの外側となり、ハンモック部品（２）は内側となるので頭を入れる部分を作るため、帽体部品（１）、ハンモック部品（２）、着脱部品（３）のそれぞれの特性、形状、取り付け方により、着脱部品（３）を閉めた際、部分的に帽体部品（１）を曲げる力が強い部分、弱い部分を作ると、帽体部品（１）は力が強い部分により十分に曲がり、力が弱い部分はハンモック部品（２）がピンと張らず余剰部分が生じ、これを内側に凹ませることができるので、それにより頭を入れる空間を作成するという構造なので、本願発明のヘルメットは着脱部品（３）を開けると板状で保管や携帯が容易となり、閉めるとヘルメット型となることを特徴とするヘルメット。
【請求項５】
請求項１から請求項４のヘルメットの帽体部品（１）やハンモック部品（２）が多重構造となっていることを特徴とするヘルメット。
【請求項６】
請求項１から請求項５のヘルメットに一般に流通している標準的な工事用ヘルメットと同様に頭をヘルメットに固定するためのヘッドバンドを設けたことを特徴とするヘルメット。
【請求項７】
請求項１から請求項６のヘルメットに一般に流通している標準的な工事用ヘルメットと同様に頭からヘルメットが浮いたり離れないようにするあご紐を設けたことを特徴とするヘルメット。
【請求項８】
が請求項１から請求項４の着脱部品（３）がヘルメットからはみ出す部分を使って請求項７のあご紐として利用することを特徴とするヘルメット。